(57)【特許請求の範囲】
【請求項１】
視線誘導標に取付けられて反射体に付着する汚れを払拭するための自掃装置であって、視線誘導標に取付けられるようになされた支持体に複数個の帯状の弾性薄板が取付けられており、前記弾性薄板は、反射体の前方に突出され且つ反射体に対して前後方向に進退可能となされた支持体の支持部にその一端が固定されて反射体のやや前方に分散配置され、支持部を前後方向に進退させることにより、弾性薄板と反射体の表面との間隔を微調整できるようになされていると共に、各先端部には重りが取付けられて風が吹くと前記固定端を支点にして反射体の表面に沿って揺動可能となされ、且つ弾性薄板に反射体の表面に摺接される払拭体が取付けられ、前記弾性薄板は、厚さ０．１〜０．８ｍｍのステンレス板であることを特徴とする視線誘導標用自掃装置。
【発明の詳細な説明】
【０００１】
【発明の属する技術分野】
本発明は、道路の路肩や中央分離帯等に設置される視線誘導標に取付けられ、反射体に付着する汚れを払拭するようになされた視線誘導標用自掃装置に関するものである。
【０００２】
【従来の技術】
道路の路肩や中央分離帯等には、夜間等に車両のヘッドライトの光を反射体により反射させることにより車両運転手の視線誘導を行う視線誘導標が設置されている。しかしながらこの視線誘導標は車両の排気ガスを受けやすい高さに設置されるため、反射体に車両の排気ガスや粉塵等の汚れが付着しやすいものであり、汚れが付着すると反射性能が低下する問題があった。
【０００３】
そこで、例えば実公昭５５−２７６８５号公報に記載されているように、反射体の前面に羽根片を取付け、この羽根片を風力により回転させることにより、羽根片に取付けた払拭子が反射体表面を自動的に清掃するようにした、所謂自掃式の視線誘導標が提案されている。
【０００４】
【発明が解決しようとする課題】
しかしこの視線誘導標は、機構が複雑となってコスト高となり、また回転軸の磨耗や汚れの付着によって回転不良が発生し、さらに羽根片が反射体に組み込まれている構造であるために、回転不良や破損した場合には、羽根片のみを取り替えることができず、羽根片を含めた視線誘導標全体を取り替える必要があり、従って羽根片を既設の視線誘導標に後付けして自掃式にするのも非常に困難であり、また角形の反射体には対応できない、等の問題を有している。
【０００５】
そこで反射体のやや前方に多数の線条を簾のように吊下させ、その線条を風によってなびかせて反射体の表面に摺接させることにより、反射体の汚れを自動的に払拭するようになされた後付けの自掃装置も提案されている。しかしながら線条は、風によって四方八方に乱れて舞い上がるため、効率よく反射体の表面に摺接させることができず、特に反射体の外径が２００ｍｍや３００ｍｍ等の大型のものについては反射体の表面に一様に摺接させることは殆ど不可能であった。
【０００６】
本発明は上記の如き問題を解決し、既設の視線誘導標に容易に後付けできると共に、効率よく反射体の汚れを払拭させることのできる視線誘導標用自掃装置を提供せんとするものである。
【０００７】
【課題を解決するための手段】
上記目的を達成するために、本発明は次のような構成としている。
すなわちこの発明に係る視線誘導標用自掃装置は、視線誘導標に取付けられて反射体に付着する汚れを払拭するための自掃装置であって、視線誘導標に取付けられるようになされた支持体に複数個の帯状の弾性薄板が取付けられており、前記弾性薄板は、反射体の前方に突出され且つ反射体に対して前後方向に進退可能となされた支持体の支持部にその一端が固定されて反射体のやや前方に分散配置され、支持部を前後方向に進退させることにより、弾性薄板と反射体の表面との間隔を微調整できるようになされていると共に、各先端部には重りが取付けられて風が吹くと前記固定端を支点にして反射体の表面に沿って揺動可能となされ、且つ弾性薄板に反射体の表面に摺接される払拭体が取付けられ、前記弾性薄板は、厚さ０．１〜０．８ｍｍのステンレス板であることを特徴とするものである。
【０００８】
本発明によれば、自然の風や車両通過時に生じる風等が吹くとその風を受けて弾性薄板が反射体の表面に沿って揺動し、この弾性薄板に取付けた払拭体が反射体の表面を払拭する。弾性薄板は、従来の線条の如く四方八方に乱れて舞い上がらず、反射体の表面に沿って揺動するので、払拭体は反射体の表面に確実に摺接され、効率よく反射体の汚れを払拭させることができる。また弾性薄板は線条に比べて風を受ける面積が広いため、比較的僅かな風で揺動し、これまた効率よく反射体の汚れを払拭させることができる。
【０００９】
さらに弾性薄板は、先端部に重りが取付けられ、固定端を支点にして振り子のように揺動可能となされているため、大型の反射体や角形の反射体であっても一様に汚れを払拭させることができる。また構造が簡単であるために故障が少なく、コスト安であり、さらに後付けができ、既設の視線誘導標に現場で取付けることができ、また破損時のメンテナンスも容易である。
【００１０】
【発明の実施の形態】
次に、本発明の実施の形態について図面を参照し、具体的に説明する。
まず図１は本発明が取付けられた状態の実施の一形態を示す正面図であり、図２はその側面図、図３は背面図である。
【００１１】
図１〜３において、１は視線誘導標であって、支柱１１の上部に嵌着されて取付けられる合成樹脂や金属等から作成されたハウジング１２に、アクリル樹脂、ポリカーボネート等の合成樹脂等からなる反射体１３が前面または前後両面に支持された公知のものである。反射体１３の形状は丸形であってもよいし、角形であってもよく、特にその形状は限定されるものではない。この反射体１３の裏面はプリズム加工が施されると共に表面は通常平滑面となされ、車両のヘッドライトの光を受けるとその光を裏面のプリズムにより車両方向に再帰反射させるようになされている。
【００１２】
２は、前記視線誘導標１に取付けられた本発明に係る自掃装置であって、前記ハウジング１２に取付けられる支持体３と、この支持体３に取付けられた複数個の帯状の弾性薄板４とから構成されている。
【００１３】
支持体３は、ハウジング１２の裏面に接着剤や両面粘着テープ等で固着されてハウジング１２より上方に突出する取付部３１と、その取付部３１の先端に一端がボルト３２、ナット３３により取付けられ、ハウジング１２を跨いで反射体１３の前方に突出する支持部３４とから構成されている。
【００１４】
弾性薄板４は、ばね弾性を有する自立性の帯状の板材から形成され、その表裏面が反射体１３の表面と垂直になるようにして、その一端が前記支持部３４先端に固定されて反射体１３のやや前方に取付けられると共に、その固定端から先端部に向かっては、反射体１３の全面にくまなく行き渡るように下方に向かって放射状に分散配置されている。さらに各弾性薄板４の先端部にはそれぞれ重り５が取付けられており、風が吹いてこの弾性薄板４の表裏面が風を受けると、前記重り５により固定端を支点にして撓み、振り子のように反射体３の表面に沿って左右に揺動するようになされている。
【００１５】
弾性薄板４は、耐蝕性を考慮して、ステンレス板が用いられる。ステンレス板は、容易に撓んで揺動するように、その厚さは０．１〜０．８ｍｍとされる。０．８ｍｍ以上になると剛性が強くなって撓みにくくなる。又弾性薄板４は、風を受けやすいようにとゆ状等に湾曲させておいてもよい。
【００１６】
なお弾性薄板４の長さは、それぞれの重り５が反射体１３の外周より外部に位置するような寸法にするのが好ましく、また幅は風を受ける面積に影響するが、あまり広くすると重量的に重くなって揺動が妨げられる。従って大型の反射体１３に対してはよく風を受けるように比較的広幅とする必要があるが、小型の反射体１３に対しては軽量な細幅とするのが好ましい。また弾性薄板４の個数は、あまり多くすると反射面が隠蔽されて見にくくなる。
【００１７】
６は弾性薄板４の反射体側の側縁に取付けられて反射体１３の表面に摺接される払拭体であり、風により弾性薄板４が揺動すると、それにつれてこの払拭体６は反射体１３の表面に摺接され、反射体１３に付着した汚れを払拭して清掃するものである。払拭体６は反射体１３の表面に摺接されて付着した汚れを払拭するものであれば特に限定されず、ゴム、スポンジ、ブラシ等の適宜材料から形成される。
【００１８】
なお払拭体６を反射体１３の表面に強く当接させると弾性薄板４の自由な揺動が妨げられ、逆に緩く当接させると汚れがうまく払拭されないことから、弾性薄板４と反射体１３の表面との間隔を微調整できるようにしておくのが好ましい。微調整できるようにする方法としては、支持体３において、取付部３１の先端にボルト３２、ナット３３により取付けられる支持部３４のボルト挿入孔３５を長孔として、反射体１３に対して支持部３４を前後方向に進退可能になるように取付け、この支持部３４を長孔の範囲内で前後に進退させることにより、弾性薄板４と反射体１３の表面との間隔を微調整できるようにすればよい。
【００２０】
【発明の効果】
本発明によれば、自然の風や車両通過時に生じる風等が吹くとその風を弾性薄板が受けて揺動し、この弾性薄板に取付けた払拭体が反射体の表面を払拭する。弾性薄板は、従来の線条の如く四方八方に乱れて舞い上がらず、反射体の表面に沿って揺動するので、払拭体は反射体の表面に確実に摺接され、効率よく反射体の汚れを払拭させることができる。また弾性薄板は線条に比べて風を受ける面積が広いため、比較的僅かな風で揺動し、これまた効率よく反射体の汚れを払拭させることができる。
【００２１】
さらに弾性薄板は、先端部に重りが取付けられ、固定端を支点にして振り子のように揺動可能となされているため、大型の反射体や角形の反射体であっても一様に汚れを払拭させることができる。また構造が簡単であるために故障が少なく、コスト安であり、さらに後付けができ、既設の視線誘導標に現場で取付けることができ、また破損時のメンテナンスも容易である。
【図面の簡単な説明】
【図１】本発明が取付けられた状態の実施の一形態を示す正面図である。
【図２】図１の側面図である。
【図３】図１の背面図である。
【符号の説明】
１    視線誘導標
１１  支柱
１２  ハウジング
１３  反射体
２    自掃装置
３    支持体
３１  取付部
３２  ボルト
３３  ナット
３４  支持部
３５  ボルト挿入孔
４    弾性薄板
５    重り
６    払拭体
【図１】
0003598188.tif 000002
【図２】
0003598188.tif 000003
【図３】
0003598188.tif 000004